(57)【要約】キャリアアグリゲーション対応のセルラ無線通信システムのアクセスネットワークノードの方法、および、キャリアアグリゲーション対応のセルラ無線通信システムの無線端末デバイスの方法が開示される。ネットワークノードに対する方法は、アクセスネットワークノードが無線端末デバイスと相互作用する同じ物理的周波数が複数の論理的基準を有する、バンド間ハンドオーバの必要性を識別することであって、無線端末デバイスは現在第１の論理的基準を使用して動作することと、バンド間ハンドオーバに対するターゲット周波数を、物理的周波数に対する第２の論理的基準として割り当てることと、割り当てたターゲット周波数を含む、無線端末デバイスとの間でハンドオーバシグナリングを実行することを含む。無線端末デバイスの方法は、無線端末デバイスがセルラ無線通信システムのアクセスネットワークノードと相互作用する同じ物理的周波数が複数の論理的基準を有する、バンド間ハンドオーバの必要性が生じる動作を実行することであって、無線端末デバイスは現在第１の論理的基準を使用して動作することと、物理的周波数に対する第２の論理的基準である、割り当てられたターゲット周波数を受信することを含む、アクセスネットワークノードとのハンドオーバシグナリングを実行することを含む。ネットワークノード、無線端末デバイス、および、方法を実装するためのこれらに対するコンピュータプログラムも開示される。【選択図】図３
2019530297.tif 000002
【特許請求の範囲】
【請求項１】
キャリアアグリゲーション対応のセルラ無線通信システムのアクセスネットワークノードの方法であって、
前記アクセスネットワークノードが無線端末デバイスと相互作用する同じ物理的周波数が複数の論理的基準を有する、バンド間ハンドオーバの必要性を識別することであって、前記無線端末デバイスは現在第１の論理的基準を使用して動作する、ことと、
前記バンド間ハンドオーバに対するターゲット周波数を、前記物理的周波数に対する第２の論理的基準として割り当てることと、
前記割り当てたターゲット周波数を含む、前記無線端末デバイスとのハンドオーバシグナリングを実行する、ことを含む、方法。
【請求項２】
請求項１に記載の方法であって、前記識別することは、前記第２の論理的基準を含むキャリアアグリゲーション周波数セットを識別することを含む、方法。
【請求項３】
請求項１または２に記載の方法であって、前記論理的基準は、ＥＵＴＲＡ絶対無線周波数チャネル番号（ＥＡＲＦＣＮ）である、方法。
【請求項４】
請求項１から３のいずれか１項に記載の方法であって、前記ハンドオーバシグナリングを実行することは、前記第２の論理的基準を含む測定設定を、前記無線端末デバイスに送信することを含む、方法。
【請求項５】
請求項１から４のいずれか１項に記載の方法であって、前記無線端末デバイスが前記ハンドオーバ後に前記第２の論理的基準を使用して前記物理的周波数で動作するように、前記ハンドオーバを実行することを含む、方法。
【請求項６】
キャリアアグリゲーション対応のセルラ無線通信システムのアクセスネットワークノードであって、前記ネットワークノードは、前記ネットワークノードが無線端末デバイスと相互作用する同じ物理的周波数が複数の論理的基準を有する、バンド間ハンドオーバの必要性を識別するように構成され、ここで、前記無線端末デバイスは現在第１の論理的基準を使用して動作し、前記ネットワークノードは更に、前記バンド間ハンドオーバに対するターゲット周波数を、前記物理的周波数に対する第２の論理的基準として割り当て、前記割り当てたターゲット周波数を含む、前記無線端末デバイスとの間でハンドオーバシグナリングを実行するように構成される、ネットワークノード。
【請求項７】
請求項６に記載のネットワークノードであって、前記第２の論理的基準を含むキャリアアグリゲーション周波数セットを識別するように構成される、ネットワークノード。
【請求項８】
請求項６または７に記載のネットワークノードであって、前記論理的基準は、ＥＵＴＲＡ絶対無線周波数チャネル番号（ＥＡＲＦＣＮ）である、ネットワークノード。
【請求項９】
請求項６から８のいずれか１項に記載のネットワークノードであって、前記ハンドオーバシグナリングは、前記第２の論理的基準を含む測定設定の、前記無線端末デバイスへの送信を含む、方法。
【請求項１０】
請求項６から９のいずれか１項に記載のネットワークノードであって、前記無線端末デバイスが前記ハンドオーバ後に前記第２の論理的基準を使用して前記物理的周波数で動作するように、前記ハンドオーバを実行するように構成される、ネットワークノード。
【請求項１１】
キャリアアグリゲーション対応のセルラ無線通信システムのアクセスネットワークのネットワークノードのプロセッサ上で実行されると、前記ネットワークノードに請求項１から５のいずれか１項に記載の方法を実行させる命令を含むコンピュータプログラム。
【請求項１２】
キャリアアグリゲーション対応のセルラ無線通信システムの無線端末デバイスの方法であって、
前記無線端末デバイスが前記セルラ無線通信システムのアクセスネットワークノードと相互作用する同じ物理的周波数が複数の論理的基準を有する、バンド間ハンドオーバの必要性が生じる動作を実行することであって、前記無線端末デバイスは現在第１の論理的基準を使用して動作する、ことと、
前記物理的周波数に対する第２の論理的基準である、割り当てられたターゲット周波数を受信することを含む、前記アクセスネットワークノードとのハンドオーバシグナリングを実行すること、を含む、方法。
【請求項１３】
請求項１２に記載の方法であって、更に、
前記第１および第２の論理的基準のマッピングを解析して、それらが前記同じ物理的周波数に関連することを観察することと、
それらが前記同じ物理的周波数に関連することが観察された場合、前記第１の論理的基準に対して行われた測定値を回復し、前記第２の論理的基準に対して前記測定値を割り当てることを含む、方法。
【請求項１４】
請求項１２または１３に記載の方法であって、前記論理的基準は、ＥＵＴＲＡ絶対無線周波数チャネル番号（ＥＡＲＦＣＮ）である、方法。
【請求項１５】
請求項１２から１４のいずれか１項に記載の方法であって、前記ハンドオーバシグナリングを実行することは、前記第２の論理的基準を含む測定設定を受信することを含む、方法。
【請求項１６】
請求項１２から１５のいずれか１項に記載の方法であって、前記無線端末デバイスが前記ハンドオーバ後に前記第２の論理的基準を使用して前記物理的周波数で動作するように、前記ハンドオーバを実行することを含む、方法。
【請求項１７】
キャリアアグリゲーション対応のセルラ無線通信システムの無線端末デバイスであって、
前記無線端末デバイスが前記セルラ無線通信システムのアクセスネットワークノードと相互作用する同じ物理的周波数が複数の論理的基準を有する、バンド間ハンドオーバの必要性が生じる動作を実行し、ここで、前記無線端末デバイスは現在第１の論理的基準を使用して動作し、
前記物理的周波数に対する第２の論理的基準である、割り当てられたターゲット周波数を受信することを含む、前記アクセスネットワークノードとのハンドオーバシグナリングを実行する、ように構成される、無線端末デバイス。
【請求項１８】
請求項１７に記載の無線端末デバイスであって、
前記第１および第２の論理的基準のマッピングを解析して、それらが前記同じ物理的周波数に関連することを観察し、
それらが前記同じ物理的周波数に関連することが観察された場合、前記第１の論理的基準に対して行われた測定値を回復し、前記第２の論理的基準対して測定値を割り当てる、ように構成される、無線端末デバイス。
【請求項１９】
請求項１７または１８に記載の無線端末デバイスであって、前記論理的基準は、ＥＵＴＲＡ絶対無線周波数チャネル番号（ＥＡＲＦＣＮ）である、無線端末デバイス。
【請求項２０】
請求項１７から１９のいずれか１項に記載の無線端末デバイスであって、前記ハンドオーバシグナリングは、前記第２の論理的基準を含む測定設定を受信することを含む、無線端末デバイス。
【請求項２１】
請求項１７から２０のいずれか１項に記載の無線端末デバイスであって、前記無線端末デバイスが前記ハンドオーバ後に前記第２の論理的基準を使用して前記物理的周波数で動作するように、前記ハンドオーバを実行するように構成される、無線端末デバイス。
【請求項２２】
キャリアアグリゲーション対応のセルラ無線通信システムの無線端末デバイスのプロセッサ上で実行されると、前記無線端末デバイスに請求項１２から１６のいずれか１項に記載の方法を実行させる命令を含むコンピュータプログラム。
【発明の詳細な説明】
【技術分野】
【０００１】
本発明は、一般に、キャリアアグリゲーション対応のセルラ無線通信システムのアクセスネットワークノードの方法、およびキャリアアグリゲーション対応のセルラ無線通信システムの無線端末デバイスの方法、ならびに対応するアクセスネットワークノード、無線端末デバイス、および、それらに対するコンピュータプログラムに関する。特に、アクセスネットワークノードに対する方法は、アクセスネットワークノードが無線端末デバイスと相互作用する同じ物理的周波数が複数の論理的基準を有する、バンド間ハンドオーバの必要性を識別することであって、無線端末デバイスは現在第１の論理的基準を使用して動作することと、バンド間ハンドオーバに対するターゲット周波数を、物理的周波数に対する第２の論理的基準として割り当てることと、割り当てたターゲット周波数を含む、無線端末デバイスとの間でハンドオーバシグナリングを実行することを含む。無線端末デバイスの方法は、無線端末デバイスがセルラ無線通信システムのアクセスネットワークノードと相互作用する同じ物理的周波数が複数の論理的基準を有する、バンド間ハンドオーバの必要性が生じる動作を実行することであって、無線端末デバイスは現在第１の論理的基準を使用して動作することと、物理的周波数に対する第２の論理的基準である、割り当てられたターゲット周波数を受信することを含む、アクセスネットワークノードとのハンドオーバシグナリングを実行することを含む。
【背景技術】
【０００２】
キャリアアグリゲーションは、無線通信システムにおける容量を向上させるための１つのアプローチである。キャリアの集約（アグリゲーション）により、接続に使用する帯域（バンド）幅が増加する。一方、キャリアアグリゲーションの可能性はまた、セットアップおよびシグナリングの意味で更なる複雑さを意味する。
【０００３】
欧州特許出願公開第２３４３９４６号明細書は、一組の論理的チャネル優先度がアクセスネットワークノードから無線端末デバイスに送信されるアプローチを開示し、ここで、無線端末デバイスは論理的チャネル優先度に基づいてキャリアを選択する。
【０００４】
起こり得る問題は、キャリアアグリゲーション通信を設定するときの動作の信頼性である。特に、キャリアアグリゲーション通信を設定するためのいくつかのアクションは、アクセスネットワークノードと無線端末デバイスとの間の接続が失われる危険性を増大させる可能性がある。したがって、そのような危険性を減らす解決策を提供することが望ましい。
【発明の概要】
【０００５】
本発明は、いくつかの通信システムでは、周波数に対する論理的基準と実際の物理的周波数との間の関係は必ずしも一対一ではないという本発明者らの認識に基づいている。本発明者らは、全ての論理的基準がキャリアアグリゲーション動作に適しているわけではないことを更に認識した。したがって、本発明者らは、シングルキャリア動作とキャリアアグリゲーション動作との間の信頼できる遷移を提供するための特別な方法で通常のハンドオーバ動作を利用する解決策を提案する。
【０００６】
第１の態様によれば、キャリアアグリゲーション対応のセルラ無線通信システムのアクセスネットワークノードの方法が提供される。方法は、アクセスネットワークノードが無線端末デバイスと相互作用する同じ物理的周波数が複数の論理的基準を有する、バンド間ハンドオーバの必要性を識別することであって、無線端末デバイスは現在第１の論理的基準を使用して動作する、ことを含む。方法は更に、バンド間ハンドオーバに対するターゲット周波数を、物理的周波数に対する第２の論理的基準として割り当て、割り当てたターゲット周波数を含む、無線端末デバイスとのハンドオーバシグナリングを実行することを含む。
【０００７】
識別することは、第２の論理的基準を含むキャリアアグリゲーション周波数セットを識別することを含む。
【０００８】
論理的基準は、ＥＵＴＲＡ絶対無線周波数チャネル番号（ＥＡＲＦＣＮ）であり得る。
【０００９】
ハンドオーバシグナリングを実行することは、第２の論理的基準を含む測定設定を、無線端末デバイスに送信することを含み得る。
【００１０】
方法は、無線端末デバイスがハンドオーバ後に第２の論理的基準を使用して物理的周波数で動作するように、ハンドオーバを実行することを含み得る。
【００１１】
第２の態様によれば、キャリアアグリゲーション対応のセルラ無線通信システムのアクセスネットワークのネットワークノードが提供され、ネットワークノードは、ネットワークノードが無線端末デバイスと相互作用する同じ物理的周波数が複数の論理的基準を有する、バンド間ハンドオーバの必要性を識別するように構成され、ここで、無線端末デバイスは現在第１の論理的基準を使用して動作する。ネットワークノードは更に、バンド間ハンドオーバに対するターゲット周波数を、物理的周波数に対する第２の論理的基準として割り当て、割り当てたターゲット周波数を含む、無線端末デバイスとのハンドオーバシグナリングを実行するように構成される。
【００１２】
ネットワークノードは、第２の論理的基準を含むキャリアアグリゲーション周波数セットを識別するように構成され得る。
【００１３】
論理的基準は、ＥＵＴＲＡ絶対無線周波数チャネル番号（ＥＡＲＦＣＮ）であり得る。
【００１４】
ハンドオーバシグナリングは、第２の論理的基準を含む測定設定の、無線端末デバイスへの送信を含み得る。
【００１５】
ネットワークノードは、無線端末デバイスがハンドオーバ後に第２の論理的基準を使用して物理的周波数で動作するように、ハンドオーバを実行するように構成され得る。
【００１６】
第３の態様によれば、キャリアアグリゲーション対応のセルラ無線通信システムのアクセスネットワークのネットワークノードのプロセッサ上で実行されると、ネットワークノードに第１の態様による方法を実行させる命令を含むコンピュータプログラムが提供される。
【００１７】
第４の態様によれば、キャリアアグリゲーション対応のセルラ無線通信システムの無線端末デバイスの方法が提供される。方法は、無線端末デバイスがセルラ無線通信システムのアクセスネットワークノードと相互作用する同じ物理的周波数が複数の論理的基準を有する、バンド間ハンドオーバの必要性が生じる動作を実行することであって無線端末デバイスは現在第１の論理的基準を使用して動作することと、物理的周波数に対する第２の論理的基準である、割り当てられたターゲット周波数を受信することを含む、アクセスネットワークノードとのハンドオーバシグナリングを実行することを含む。
【００１８】
方法は更に、第１および第２の論理的基準のマッピングを解析してそれらが同じ物理的周波数に関連することを観察することと、それらが同じ物理的周波数に関連することが観察された場合、第１の論理的基準に対して行われた測定値を回復し、第２の論理的基準に対する測定値を割り当てることを含む。
【００１９】
論理的基準は、ＥＵＴＲＡ絶対無線周波数チャネル番号（ＥＡＲＦＣＮ）であり得る。
【００２０】
ハンドオーバシグナリングを実行することは、第２の論理的基準を含む測定設定を受信することを含む。
【００２１】
方法は、無線端末デバイスがハンドオーバ後に第２の論理的基準を使用して物理的周波数で動作するように、ハンドオーバを実行することを含み得る。
【００２２】
第５の態様によれば、キャリアアグリゲーション対応のセルラ無線通信システムの無線端末デバイスが提供される。無線端末デバイスは、無線端末デバイスがセルラ無線通信システムのアクセスネットワークノードと相互作用する同じ物理的周波数が複数の論理的基準を有する、バンド間ハンドオーバの必要性が生じる動作を実行し、ここで、無線端末デバイスは現在第１の論理的基準を使用して動作し、物理的周波数に対する第２の論理的基準である、割り当てられたターゲット周波数を受信することを含む、アクセスネットワークノードとのハンドオーバシグナリングを実行するように構成される。
【００２３】
無線端末デバイスは、第１および第２の論理的基準のマッピングを解析してそれらが同じ物理的周波数に関連することを観察し、それらが同じ物理的周波数に関連することが観察された場合、第１の論理的基準に対して行われた測定値を回復し、第２の論理的基準に対する測定値を割り当てるように構成され得る。
【００２４】
論理的基準は、ＥＵＴＲＡ絶対無線周波数チャネル番号（ＥＡＲＦＣＮ）であり得る。
【００２５】
ハンドオーバシグナリングを実行することは、第２の論理的基準を含む測定設定を受信することを含み得る。
【００２６】
無線端末デバイスは、無線端末デバイスがハンドオーバ後に第２の論理的基準を使用して物理的周波数で動作するように、そのようなハンドオーバを実行するように構成され得る。
【００２７】
第６の態様によれば、キャリアアグリゲーション対応のセルラ無線通信システムのアクセスネットワークの無線端末デバイスのプロセッサ上で実行されると、無線端末デバイスに第４の態様による方法を実行させる命令を含むコンピュータプログラムが提供される。
【図面の簡単な説明】
【００２８】
本発明の上記ならびにその他の目的、特徴および利点は、添付の図面を参照しながら、以下の本発明の好適な実施形態の例示的かつ非限定的な詳細な説明によって、更によく理解されるであろう。
【図１】図１は、キャリアアグリゲーションの原理を概略的に示す。
【図２】図２は、実施形態に従うアクセスネットワークノードの方法を概略的に示すフローチャートである。
【図３】図３は、実施形態に従うアクセスネットワークノードの方法を概略的に示すフローチャートである。
【図４】図４は、実施形態に従うアクセスネットワークノードを概略的に示すブロック図である。
【図５】図５は、実施形態に従う無線端末デバイスの方法を概略的に示すフローチャートである。
【図６】図６は、実施形態に従う無線端末デバイスを概略的に示すブロック図である。
【図７】図７は、コンピュータ可読媒体および処理デバイスを概略的に示す。
【図８】図８は、セルラ無線ネットワークを概略的に示す。
【発明を実施するための形態】
【００２９】
キャリアアグリゲーションは、進化型ＵＭＴＳ（ユニバーサル移動体通信システム）地上無線アクセス（ＥＵＴＲＡ）等の通信システムによって提供されるシングルキャリアと比較して増加した帯域幅を提供するために使用される。例えば、それによって、ＬＴＥ  Ｒｅｌ−１０規格は、２０ＭＨｚを超える帯域幅をサポートすることができる。ＬＴＥ  Ｒｅｌ−１０における重要な要件の１つは、シングルキャリア動作のみをサポートするＬＴＥ  Ｒｅｌ−８との下位互換性を保証することである。これはまたスペクトル互換性を含むべきである。それは、２０ＭＨｚよりも広いＬＴＥ  Ｒｅｌ−１０キャリアが、ＬＴＥ  Ｒｅｌ−８端末に対して多数のＬＴＥキャリアとして現れるべきであることを意味するであろう。そのような各キャリアは、コンポーネントキャリア（ＣＣ）と呼ばれることがある。特に、初期のＬＴＥ  Ｒｅｌ−１０配置については、多くのＬＴＥレガシー端末と比較してより少ない数のＬＴＥ  Ｒｅｌ−１０対応端末があることが予想され得る。したがって、レガシー端末に対しても広域のキャリアの効率的な使用を保証すること、すなわち、レガシー端末が広帯域ＬＴＥ  Ｒｅｌ−１０キャリアの全ての部分でスケジュールされることができるキャリアを実装することが可能であることを保証することが必要である。これを達成するための簡単な方法は、キャリアアグリゲーション（ＣＡ）を使用することである。ＣＡは、ＬＴＥ  Ｒｅｌ−１０端末が複数のＣＣを受信できることを意味し、ＣＣはＲｅｌ−８キャリアと同じ構造を有するか、または少なくとも有する可能性がある。ＣＡは図１に示される。ＣＡ対応のＵＥには、常にアクティブにされるプライマリセル（ＰＣｅｌｌ）と、動的にアクティブまたは非アクティブにされることがある１つ以上のセカンダリセル（ＳＣｅｌｌ）とが割り当てられる。
【００３０】
「ＵＥ」、「端末」、「モバイルデバイス」などの用語は、同じアイテム、すなわち無線端末デバイスを意味する口語であり、本開示では互換的に使用されることに留意されたい。
【００３１】
アグリゲートされた（集約された）ＣＣの数ならびに個々のＣＣの帯域幅は、アップリンクとダウンリンクとでは異なり得る。対称構成は、ダウンリンクおよびアップリンクにおけるＣＣの数が同じである場合を指し、非対称構成は、ＣＣの数が異なる場合を指す。セルに構成されているＣＣの数は、端末から見たＣＣの数とは異なる場合があることに注意することが重要である。たとえセルが同じ数のアップリンクＣＣとダウンリンクＣＣで構成されていても、端末は、例えばアップリンクＣＣよりも多くのダウンリンクＣＣをサポートすることができる。
【００３２】
ダウンリンク送信は動的にスケジュールされる。すなわち、各サブフレームにおいて、基地局は現在のダウンリンクサブフレームにおいて、どの端末にデータが送信され、どのリソースブロックにデータが送信されるかについての制御情報を送信する。この制御シグナリングは通常、各サブフレーム内の最初の１、２、３または４個のＯＦＤＭシンボルで送信され、数ｎ＝１、２、３または４は、制御フォーマットインジケータ（ＣＦＩ）として知られている。ダウンリンクサブフレームはまた、受信器に知られている共通の参照シンボルを含み、例えば、制御情報のコヒーレント復調に使用される。
【００３３】
物理ダウンリンク制御チャネル（ＰＤＣＣＨ）は、スケジューリング決定および電力制御コマンドといったダウンリンク制御情報（ＤＣＩ）を搬送するために使用される。具体的には、ＤＣＩには以下が含まれる。
‐物理ダウンリンク共有チャネル（ＰＤＳＣＨ）リソース指標、トランスポートフォーマット、ハイブリッドＡＲＱ（自動再送要求）情報、および、空間多重化に関連する制御情報（該当する場合）を含む、ダウンリンクスケジューリング割り当て。ダウンリンクスケジューリング割り当ては、ダウンリンクスケジューリング割り当てに応答してハイブリッドＡＲＱ確認応答の送信に使用されるＰＵＣＣＨの電力制御のためのコマンドも含む。
‐物理アップリンク共有チャネル（ＰＵＳＣＨ）リソース指標、トランスポートフォーマット、およびハイブリッドＡＲＱ関連情報を含む、アップリンクスケジューリンググラント（許可）。アップリンクスケジューリンググラントはまた、ＰＵＳＣＨの電力制御のためのコマンドを含む。
‐スケジューリング割り当て／グラントに含まれるコマンドを補完するものとして、一組の端末に対する電力制御コマンド。
【００３４】
１つのＰＤＣＣＨは、上記にリストした情報のグループのうちの１つを含む１つのＤＣＩメッセージを搬送する。複数の端末を同時にスケジュールすることができ、各端末をダウンリンクとアップリンクの両方で同時にスケジュールすることができるので、各サブフレーム内で複数のスケジューリングメッセージを送信する可能性がなければならない。各スケジューリングメッセージは別々のＰＤＣＣＨリソースで送信され、その結果、通常、各セルの各サブフレーム内に複数の同時ＰＤＣＣＨ送信がある。更に、異なる無線チャネル条件をサポートするために、リンクアダプテーションを使用することができる。ここで、無線チャネル条件と一致するように、ＰＤＣＣＨのリソース使用量を適応させることによってＰＤＣＣＨの符号化率が選択される。
【００３５】
加えて、キャリアアグリゲーションの特徴は、クロスキャリアスケジューリングを実行できることである。このメカニズムは、あるＣＣ上の（ｅ）ＰＤＣＣＨが、（ｅ）ＰＤＣＣＨメッセージの始めに挿入された３ビットのキャリアインジケータフィールド（ＣＩＦ）によって、別のＣＣ上のデータ送信をスケジュールすることを可能にする。所与のＣＣ上でのデータ送信に対して、ＵＥは、（ｅ）ＰＤＣＣＨ上でただ１つのＣＣ（同じＣＣ、またはクロスキャリアスケジューリングを介して異なるＣＣ）上でスケジューリングメッセージを受信することを期待している。（ｅ）ＰＤＣＣＨからＰＤＳＣＨへのこのマッピングも半静的に構成される。本明細書では、「ｅ」および「（ｅ）」は、「進化型」または「拡張型」のフォーマット、すなわち特にＬＴＥに適した特定のおよび可能な特定の特徴を示すために使用される。
【００３６】
３ＧＰＰ ＴＳ ３６．１０１，Ｖ １３．２．１は、特定のバンド（帯域）の組み合わせに対するＵＥの要件を規定している。ＵＥは、これらのバンドの組み合わせの一部を含む機能をｅＮＢに送信し、ｅＮＢはそれらを使用するように制限される。ＴＳ  ３６，１０１，Ｖ１３．２．１で規定されているバンドと物理的周波数の間のマッピングは一意ではない。すなわち、例えばバンド１およびバンド４の場合のように、２つ以上（複数）のバンドが同じまたはサブセットの物理的周波数にマッピングすることができる。
【００３７】
この曖昧さが原因で、ｅＮＢはキャリアアグリゲーションを可能にするためにＵＥをあるバンドから別のバンドに論理的に移動させることを強いられることがある。依然としてＵＥへの接続を維持しながらこれを行う１つの方法は、同じセルであるが異なる論理帯域でハンドオーバを実行するようにＵＥに指示することである。Ｒｅｌ−１１ ＵＥは、それがサポートする第１のバンドでセルに接続することを要求され、したがって、そのようなＵＥが第２のバンドでＰＣｅｌｌを有するための唯一の方法は、ＲＲＣシグナリング（ハンドオーバ）を介することである。
【００３８】
例えば、バンド３８（追加のバンド４１を有する）およびバンド３９のセルの場合、ＴＳ  ３６．１０１で定義されているバンド３８＋３９にはキャリアアグリゲーションの組み合わせがないため、バンド間キャリアアグリゲーションは不可能である。ＵＥはセルのプライマリバンドにアタッチする必要がある（ＵＥがサポートしている場合）。したがって、ＵＥがバンド３８とバンド４１の両方をサポートする場合、ｅＮＢがバンド３９との有効なバンドの組み合わせを有する追加のバンド４１へのセル内ハンドオーバを命令しない限り、キャリアアグリゲーションは不可能である。
【００３９】
別の制限は合計の帯域幅である。バンド１７＋バンド２０の合計の最大帯域幅は２０ＭＨｚである。よって、例えば帯域幅１０＋１５ＭＨｚを有する２つのセルのキャリアアグリゲーションを有効にするには、バンド１２（バンド１７に追加）とバンド２を使用することでき、それは、より大きい可能な最大帯域幅を有する。
【００４０】
ＵＥが異なる論理的周波数へのハンドオーバを実行するとき、例えば、ＥＵＴＲＡ絶対無線周波数チャネル番号（ＥＡＲＦＣＮ）といった表記法では、物理的に同じ周波数であり、よって同じセルが存在しても、ソースＥＲＡＦＣＮからのセル測定値（タイミング、周波数補正、ＲＳＲＰ、ＲＳＲＱなど）は保持されない。これは、ＵＥが（この場合はソースセルと同じである）ターゲットセルへの時間および周波数同期を最初に確立しなければならない場合にブラインドハンドオーバをもたらすことになる。この手順の間、ＲＡＣＨ手順に失敗して再確立または切断された接続になる危険性がある。ターゲット論理的基準、例えば、ＥＡＲＦＣＮ（ソースＥＡＲＦＣＮと同じ物理的周波数に物理的にマッピングする）を測定するようにＵＥを構成することによって、周波数間キャリアとして、ＵＥはハンドオーバを実行する前にターゲットセルへの時間および周波数同期を確立することができる。一実施形態によれば、ＵＥは論理的周波数と物理的周波数との間のマッピングを解析し、物理的周波数が２つの論理的周波数、すなわちハンドオーバ前の論理的周波数とターゲット論理的周波数とで同じであることを発見したとき、ＵＥは測定値を保持し、それらをターゲット論理的周波数に割り当てる。
【００４１】
ＵＥが上記の実施形態について示された能力を有していなくても、ｅＮＢは、ターゲット論理的周波数の測定結果がかなり静的な環境であり、ハンドオーバ前の論理的周波数と同じであり、バンド間ハンドオーバの安定かつ予測可能な動作は予め知られている。
【００４２】
したがって、本開示は、ｅＮＢおよびＵＥの両方がここで提案された解決策を実行できる場合に適用可能であるが、ｅＮＢのみがここで提案された解決策を実行できる場合、すなわちレガシーＵＥが依然として解決策から利益を得る場合にも適用可能である。ただし、ここで提案した解決策のいくつかを実行できるＵＥは、バンド間ハンドオーバにおけるエネルギー消費の低減、より速い処理などから利益を得る。
【００４３】
図２は、キャリアアグリゲーション対応のセルラ無線通信システムのアクセスネットワークノードの方法を示すフローチャートである。アクセスネットワークノードは、ハンド間ハンドオーバの必要性を識別する（２００）。これは、アクセスネットワークノードが無線端末デバイスと相互作用する同じ物理的周波数が複数の論理的基準を有し、無線端末デバイスは現在第１の論理的基準を使用して動作している場合である。アクセスネットワークノードは、バンド間ハンドオーバに対するターゲット周波数を、物理的周波数に対する第２の論理的基準として割り当て（２０２）、割り当てたターゲット周波数を含む、無線端末デバイスとのハンドオーバシグナリングを実行する（２０４）。したがって、アクセスネットワークノードは、第１の論理的基準がキャリアアグリゲーションに利用可能ではないが、同じ物理的周波数へのバンド間ハンドオーバによって、キャリアアグリゲーション動作に物理的周波数を含めることができるキャリアアグリゲーション動作を可能にする。すなわち、ハンドオーバの実行（２０４）は、無線端末デバイスが同じ物理的周波数で動作するがハンドオーバ後に第２の論理的基準を使用するように行われる。
【００４４】
識別すること（２００）は、第２の論理的基準を含むキャリアアグリゲーション周波数セットを識別することを含む。これは例えばルックアップテーブルから行われる。論理的基準はＥＡＲＦＣＮであり得る。
【００４５】
ハンドオーバシグナリングを実行すること（２０４）は、例えば、第２の論理的基準を含む測定設定を、無線端末デバイスに送信することを含み得る。すなわち、確立されたハンドオーバメカニズム、例えばここで述べた測定設定は、同じ物理的周波数でのキャリアアグリゲーションで終わるバンド間ハンドオーバに使用され得る。
【００４６】
ここで、論理的基準を割り当てること（２０２）とバンド間ハンドオーバの必要性を識別すること（２００）との間の相互作用は相互にキャリアアグリゲーションのための実行可能な論理的周波数基準の意味で依存するため、ステップ２００および２０２は、タイミングの観点から共同で実行されることが好ましい。
【００４７】
図３は、実施形態に従うアクセスネットワークノードの方法を概略的に示すフローチャートである。図２を参照して説明した動作は一般的なレベルで示されているが、図３を参照して説明された動作はその１つのより詳細な実施形態と見なされるべきである。
【００４８】
アクセスネットワークノードは、キャリアアグリゲーション動作において使用するための周波数を決定する（３００）。これは、周波数に対する論理的基準、すなわち通信ネットワークに対して定義された方式からキャリアアグリゲーションに対してどの論理的基準が適しているかを決定することを含む。ここで、アクセスネットワークノードは、それが参照する物理的周波数が現在使用されている物理的周波数と同じになるように論理的基準のうちの１つを選択し、可能であれば、シングルキャリアモードで動作するときにその物理的周波数は別の論理的基準を有し得る。次に、アクセスネットワークノードは、バンド間ハンドオーバが必要かどうか、すなわち、現在使用されている周波数の論理的基準がキャリアアグリゲーションに適していないかどうかを判定する（３０２）。現在使用されている周波数の論理的基準がキャリアアグリゲーションに適している場合、すなわちバンド間ハンドオーバの必要がない場合、手順は単にキャリアアグリゲーション動作（３１６）を継続する。すなわち、シングルキャリアモードにおける論理的基準は、キャリアアグリゲーションモードにおいても適用可能であり、キャリアアグリゲーション動作（３１６）は、同じ論理的基準を使用し始めてもよい。そうでなければ、バンド間ハンドオーバ手順３０４〜３１４が実行され、ここで物理的周波数は維持されるが、他の論理的基準を用いて維持される。論理的基準は例えばＥＡＲＦＣＮであり得る。
【００４９】
オプション的に、ＵＥが測定ギャップを要求するかどうかがチェックされ（３０４）、測定ギャップが要求される場合、測定ギャップが設定される（３０６）。例えば、ＵＥは、それが無線リソース管理（ＲＲＭ）測定を実行することができるためのギャップの要件を示す能力をシグナリングした。ここで、アクセスネットワークノードは、測定ギャップ設定を作成し、例えばＭｅａｎｓＧａｐＣｏｎｆｉｇメッセージによりＵＥにシグナリングする。
【００５０】
アクセスネットワークノードは、測定が行われることになっているターゲット論理的基準を、例えばＭｅａｓＯｂｊｅｃｔＥＵＴＲＡによって、設定し（３０８）、それをＵＥにシグナリングする。シグナリングは、ターゲットＥＡＲＦＣＮおよびソースＥＡＲＦＣＮを含むことができ、これらは論理的に異なる周波数と見なされるが、どちらも同じ物理的周波数を指す。動作の意図ではない、この周波数に関する他のセルの報告を回避するために、アクセスネットワークノードは、例えば、測定が行われるべき好ましいセルを示すホワイトリスト内のプライマリセル（ＰＣｅｌｌ）のインジケータ（ＰＣＩ）を設定、または、測定から除外されるセルを示すブラックリスト内の他の既知の隣接セルを設定し得る。
【００５１】
オプション的に、アクセスネットワークノードは、ＵＥに対して測定イベントを設定する（３１０）（例えば、Ａ３および／またはＡ４）。Ａ３は、隣接セルがＰＣｅｌｌよりもある特定のｄＢ強いことをトリガするためのイベントである。ここで、隣接セルとＰＣｅｌｌは同じであるが論理的基準が異なるので、報告される基準信号受信電力（ＲＳＲＰ）はほぼ同じであるはずであり、かなり小さいオフセットが使用されてもよい。ＵＥがセルを測定する場合、受信器が偶然にソースセルの測定が行われたときとは異なるように構成されている場合、報告される値はわずかに異なる可能性があることに更に留意されたい。ＵＥの一実施形態について以下に示されるように、ＵＥが以前に測定された値を保持する場合、違いはないはずである。Ａ４は絶対的な基準を持つイベントである。更なる代替案は、設定が定期的な報告のために作られることである。設定は、ＲｅｐｏｒｔＣｏｎｆｉｇＥＵＴＲＡとしてＵＥにシグナリングされ得る。アクセスネットワークノードは、その後、ＵＥからの測定報告を待ってから進むことができる。あるいは、アクセスネットワークノードは、先に進む前に所定の時間だけ待機するように構成される。手順は、ハンドオーバを実行すること（３１４）を含む。
【００５２】
上記の３０４〜３１０と呼ばれる手順は、同じＲＲＣＣｏｎｎｅｃｔｉｏｎＲｅｃｏｎｆｉｇｕｒａｔｉｏｎメッセージを使用して実行され得る。
【００５３】
アクセスネットワークノードはハンドオーバを実行し（３１４）、キャリアアグリゲーションを伴う動作（３１６）を開始することができる。
【００５４】
図４は、実施形態に従うアクセスネットワークノードを概略的に示すブロック図である。アクセスネットワークノード４００は、アンテナ構成４０２、アンテナ構成４０２に接続された送受信器４０４、および１つ以上の回路を含むことができ、アクセスネットワークノード４００のコントローラとして動作するように構成された処理要素４０６を含む。アクセスネットワークノード４００は、アクセスネットワークノード４００が、例えば、無線、電気、または光学式等による、信号インタフェースにより、１つ以上の通信ネットワークへのバックホールを提供することを完了することを可能にするように構成された、１つ以上の入力インタフェースおよび／または１つ以上の出力インタフェースを備える。インタフェースはまた、例えば保守または設定のために、ユーザとの対話を可能にするためのユーザインタフェースを含むことができる。アクセスネットワークノード４００は、図８に示すように、１つ以上の端末との通信を可能にするために無線通信ネットワークにおいて動作するように構成される。特に、処理要素４０６が図２または図３を参照して説明した実施形態のいずれかを実行するように構成されていることによって、アクセスネットワークノード４００は、バンド間ハンドオーバが上述のように実行されることになっているときに、少なくともいくつかの対話型端末がより信頼性高く予測可能に動作することを可能にすることができ、また、いくつかの実施形態ではいくつかの測定手順が省略されてもよいことから、エネルギー消費が限られる可能性がある。処理要素４０６はまた、送受信器４０４に接続されてアプリケーションを実行し、インタフェースを制御するなど、送受信を可能にするための信号処理から広範囲にわたるタスクを実行することもできる。特に、アクセスネットワークノード４００は、キャリアアグリゲーションが可能な端末と共に動作することが可能にされる。
【００５５】
以下に示されるように、ＵＥは、ＵＥ側で手順を容易にするために特定の行動をとることができる。しかしながら、アクセスネットワークノードにおけるアプローチはそのような動作に依存していない。レガシーＵＥとの相互作用は依然として利点を提供する。物理的周波数がアクセスネットワークノードとＵＥとの間の接続に対してうまく機能していることは十分に予測可能であるので、シングルキャリア動作からキャリアアグリゲーション動作への信頼できる移行が提供される。全く新しい物理的周波数へのハンドオーバ動作は、その予測可能性を提供せず、したがってそのような信頼性を提供せず、接続が失われる危険性がある。
【００５６】
低い信号電力および／または高い干渉がＵＥによって報告される場合、ここで示されるハンドオーバは意図的に省略され得ることに留意されたい。そのような場合、確立された接続は、キャリアアグリゲーション動作から得られるかもしれない追加の帯域幅のために危険にさらされない可能性がある。ＵＥによる信号電力および干渉レベルの報告は、レガシーＵＥによって一般に実行されるように実行されることが好ましい。例えば、バンド間ハンドオーバを省略するかどうかの選択は、ここで示されるようにバンド間ハンドオーバを有効にするかどうかを決定するために報告された信号電力および／または干渉レベルをそれぞれの閾値と比較することによって実施され得る。閾値は、動作からの経験に基づいて選択されてもよく、閾値は、成功および失敗したバンド間ハンドオーバに基づいて連続的にまたは周期的に更新されてもよい。閾値は、ネットワークのプロバイダまたはオペレータによって固定され設定されてもよい。
【００５７】
図５は、キャリアアグリゲーション対応のセルラ無線通信システムのアクセスネットワークノードの方法を示すフローチャートである。無線端末デバイスは、上記の通り、無線端末デバイスがセルラ無線通信システムのアクセスネットワークノードと相互作用する同じ物理的周波数が複数の論理的基準を有する、バンド間ハンドオーバの必要性が生じる動作を実行する。従って、無線端末デバイスは現在第１の論理的基準を使用して動作する（５００）。無線端末デバイスは、物理的周波数に対する第２の論理的基準である、割り当てられたターゲット周波数を受信することを含む、アクセスネットワークノードとのハンドオーバシグナリングを実行する（５０２）。したがって、無線端末デバイスは、シグナリングに従って、同じ物理的周波数であるが別の論理的基準で動作するようにハンドオーバ動作を実行する。これにより、第１の論理的基準がキャリアアグリゲーション動作に適していない場合には、第２の論理的基準がキャリアアグリゲーションに適している場合に、キャリアアグリゲーション動作を実行することができる。ハンドオーバシグナリングを実行すること（５０２）は、第２の論理的基準を含む測定設定を受信することを含み得る。すなわち、確立されたハンドオーバメカニズム、例えばここで述べた測定設定は、同じ物理的周波数でのキャリアアグリゲーションで終わるバンド間ハンドオーバ、すなわち、無線端末デバイスがハンドオーバ後に第２の論理的基準を使用して無線端末デバイスが同じ物理的周波数で動作するようにハンドオーバ５０６を実行するために使用され得る。
【００５８】
無線端末デバイスは、ハンドオーバシグナリングに従って測定等を行ってもよい。しかしながら、いくつかの実施形態によれば、無線端末デバイスは状況を識別し、その労力を制限するためにいくつかの行動をとることができる。無線端末デバイスは、そのような場合に、第１および第２の論理的基準のマッピングを解析して（５０３）それらが同じ物理的周波数に関連することを観察し、それらが同じ物理的周波数に関連することが観察された場合、第１の論理的基準に対して行われた測定値を回復し、第２の論理的基準に対する測定値を割り当て得る。ここで、相互情報交換（周波数に対する論理参照、測定）は互いに依存するので、アクション５０３および５０５はハンドオーバ動作５０２と並行して実行されることが好ましいことに留意されたい。測定値の回復５０５によって、ＵＥは、測定を行うためのエネルギー消費を節約することができる。解析５０３は、例えばテーブルルックアップによって行うことができ、ここで、動作５００から知られるように、第１の論理的基準の物理的周波数は、ハンドオーバシグナリング５０２から与えられ、上側の曲線の矢印によって示される、第２の論理的基準の物理的周波数と比較される。物理的周波数が同じである場合、回復５０５が実行され、回復した測定値が、下側の曲線の矢印によって示されるように、ハンドオーバシグナリング５０２に提供される。
【００５９】
上述した無線端末デバイスに対するアプローチは、図２〜図４を参照して説明したようにアクセスネットワークノードと共に動作するのに特に適していることに留意されたい。しかしながら、オプションのステップ５０３および５０５を含むアプローチは、レガシアクセスネットワークノードを用いて動作するときにも利益を提供し得る。すなわち、測定値の回復５０５は、レガシアクセスネットワークノードと共に動作しているときに発生し、分析５０３によって識別される状況においても労力を節約し得る。
【００６０】
図６は、実施形態に従う無線端末デバイスを概略的に示すブロック図である。無線端末デバイスまたはＵＥ６００は、アンテナ構成６０２、アンテナ構成６０２に接続された受信器６０４、アンテナ構成６０２に接続された送信器６０６、１つ以上の回路を含むことができる処理要素６０８、１つ以上の入力インタフェースを６１０、および１つ以上の出力インタフェース６１２を有する。インタフェース６１０、６１２は、ユーザインタフェース、および／または、例えば電気的または光学的な信号インタフェースであり得る。ＵＥ６００は、セルラ通信ネットワーク内で動作するように構成される。特に、処理要素６０８が図５を参照して示した実施形態を実行するように構成されていることにより、ＵＥ６００は、第１の論理的基準がキャリアアグリゲーション動作に適していない場合でもシングルキャリア動作からキャリアアグリゲーション動作に確実に移行することができる。処理要素６０８はまた、受信器６０４および送信器６０６に接続され、アプリケーションを実行し、インタフェース６１０、６１２などを制御するので、受信および送信を可能にするための信号処理から広範囲のタスクを満たすことができる。したがって、プロセッサ６０８への／からのデータはデータの提供を示し、点線の矢印はプロセッサ６０８によって提供される制御を示す。
【００６１】
本発明による方法は、コンピュータおよび／またはプロセッサなどの処理手段を用いて、特に上述のコントローラ４０６または処理要素６０８がそれぞれ図２、３、５を参照して説明したアプローチを扱うプロセッサを備える場合に実施するのに適している。したがって、処理手段、プロセッサ、またはコンピュータに、図２、３および５を参照して説明した実施形態のいずれかによる方法のいずれかのステップを実行させるように構成された命令を含むコンピュータプログラムが提供される。コンピュータプログラムは、好ましくは、図７に示すように、コンピュータ可読媒体７００に格納され、処理手段、プロセッサ、またはコンピュータ７０２によってロードおよび実行されて、それぞれ、本発明の実施形態により、好ましくは図２、図３および図５を参照して説明した実施形態のいずれかとする方法を実行させることができるプログラムコードを含む。コンピュータ７０２およびコンピュータプログラム製品７００は、いずれかの方法の動作が段階的に実行される場合はプログラムコードを順次実行するように構成することができるが、リアルタイムで動作を実行することもできる。処理手段、プロセッサ、またはコンピュータ７０２は、通常埋め込みシステムと呼ばれるものであることが好ましい。したがって、図７に示されたコンピュータ可読媒体７００およびコンピュータ７０２は、原理の理解を提供するためだけの例示目的のためであると解釈されるべきであり、要素の直接的な例示として解釈されるべきではない。
【００６２】
図８は、特定の実施形態による、アクセスネットワークノード８００および通信送受信器８１０のより詳細な図を含むセルラ無線ネットワークを図示する。簡単にするために、図８は、ネットワーク８２０、アクセスネットワークノード８００および８００ａ、ならびに通信送受信器８１０のみを示す。アクセスネットワークノード８００は、プロセッサ８０２、記憶装置８０３、インタフェース８０１、およびアンテナセット８０１ａを含む。同様に、通信送受信器８１０は、プロセッサ８１２、記憶装置８１３、インタフェース８１１およびアンテナセット８１１ａを含む。これらの構成要素は、アクセスネットワークノードおよび／または無線デバイス機能性を提供するために一緒に機能し得る。異なる実施形態では、無線ネットワークは、任意の数の有線または無線ネットワーク、アクセスネットワークノード、基地局、コントローラ、無線デバイス、中継局、および／または、有線または無線接続を介してデータおよび／または信号の通信を促進または参加する他の任意の構成要素を含み得る。
【００６３】
ネットワーク８２０は、１つ以上のＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、メトロポリタンネットワーク、および、デバイス間の通信を可能にするためのその他のネットワークを含み得る。
【００６４】
アクセスネットワークノード８００は、プロセッサ８０２、記憶装置８０３、インタフェース８０１、およびアンテナセット８０１ａを含む。これらの要素は、1つの大きな箱内に配置された１つの箱として描かれている。しかしながら、実際には、アクセスネットワークノードは、単一の図示された構成要素を構成する複数の異なる物理的構成要素を含み得る（例えば、インタフェース８０１は、有線接続用のワイヤを結合するための端子および無線接続用の無線送受信器を含み得る）。同様に、アクセスネットワークノード８００は、複数の物理的に別々の構成要素（例えば、ノードＢ構成要素および無線ネットワーク制御装置（ＲＮＣ）構成要素、基地局（ＢＴＳ）構成要素および基地局制御装置（ＢＳＣ）構成要素等）から構成され得る。これらはそれぞれ独自のそれぞれのプロセッサ、記憶装置、およびインタフェース構成要素を有し得る。アクセスネットワークノード８００が複数の別々の構成要素（例えば、ＢＴＳおよびＢＳＣ構成要素）を含む特定のシナリオでは、１つ以上の別々の構成要素がいくつかのアクセスネットワークノード間で共有され得る。例えば、単一のＲＮＣが複数のノードＢを制御してもよい。そのようなシナリオでは、各一意のノードＢとＢＳＣの対は、別々のアクセスネットワークノードであり得る。いくつかの実施形態では、アクセスネットワークノード８００は、複数の無線アクセス技術（ＲＡＴ）をサポートするように構成され得る。そのような実施形態では、いくつかの構成要素が複製され（例えば、異なるＲＡＴ用の別々の記憶装置８０３）、いくつかの構成要素が再利用され得る（例えば、同じアンテナセット８０１ａがＲＡＴによって共有され得る）。
【００６５】
プロセッサ８０２は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、またはハードウェア、単独で、または記憶装置８０３などの他のアクセスネットワークノード８００の構成要素と連携して、アクセスネットワークノード８００の機能を提供するように動作可能なソフトウェアおよび／または符号化ロジックの組み合わせ、のうちの１つ以上の組み合わせであり得る。例えば、プロセッサ８０２は、記憶装置８０３に格納されている命令を実行し得る。そのような機能は、本明細書で開示された任意の特徴または利点を含む、通信送受信器８１０などの無線端末装置に本明細書で論じられた様々な無線機能を提供することを含み得る。
【００６６】
記憶装置８０３は、永続的記憶装置、ソリッドステートメモリ、リモートマウントメモリ、磁気媒体、光媒体、ランダムアクセスメモリ（ＲＡＭ）、読み取り専用メモリ（ＲＯＭ）、リムーバブルメディア、または任意の他の適切なローカルもしくはリモートメモリコンポーネントを含むがこれらに限定されない、任意の形態の揮発性または不揮発性コンピュータ可読メモリを含み得る。記憶装置８０３は、アクセスネットワークノード８００によって利用されるソフトウェアおよび符号化ロジックを含む、任意の適切な命令、データまたは情報を記憶し得る。記憶装置８０３は、プロセッサ８０２によって行われた任意の計算および／またはインタフェース８０１を介して受信された任意のデータを格納するために使用され得る。
【００６７】
アクセスネットワークノード８００はまた、アクセスネットワークノード８００、ネットワーク８２０、および／または通信送受信器８１０の間のシグナリングおよび／またはデータの有線または無線通信で使用され得るインタフェース８０１を有する。例えば、インタフェース８０１は、アクセスネットワークノード８００が有線接続を介してネットワーク８２０からデータを送受信することを可能にするために必要とされることがある任意のフォーマット、コーディング、または変換を実行し得る。インタフェース８０１はまた、アンテナセット８０１ａに結合され得るかまたはその一部であり得る無線送信機および／または受信機を含み得る。無線器は、無線接続を介して他のアクセスネットワークノードまたは通信送受信器に送信されるべきデジタルデータを受信し得る。無線器は、デジタルデータを適切なチャネルおよび帯域幅パラメータを有する無線信号に変換し得る。無線信号は次にアンテナセット８０１ａを介して適切な受信側（例えば通信送受信器８１０）に送信され得る。
【００６８】
アンテナセット８０１ａは、データおよび／または信号を無線で送受信することができる任意の種類のアンテナであり得る。ここで、アンテナセット８０１ａは、マルチランク送信が可能になるように複数のアンテナと見なされるべきである。いくつかの実施形態において、アンテナセット８０１ａは、例えば７００ＭＨｚと６６ＧＨｚとの間で無線信号を送信／受信するように動作可能な２つ以上の全方向性のセクタまたはパネルアンテナを含み得る。全方向性アンテナは、任意の方向に無線信号を送信／受信するために使用され、セクタアンテナは、特定のエリア内の装置から無線信号を送信／受信するために使用され、パネルアンテナは、比較的直線で無線信号を送信／受信するために使用される見通し線アンテナである。
【００６９】
通信送受信器８１０は、任意の種類の通信デバイス、無線デバイス、ＵＥ、Ｄ２ＤデバイスまたはＰｒｏＳｅ（近接サービス）ＵＥであり得るが、一般に、アクセスネットワークノード８００および／または他の通信送受信器等のアクセスネットワークノードとの間でデータおよび／または信号を無線で送受信することができる、任意のデバイス、センサ、アクチュエータ、スマートフォン、モデム、ラップトップ、パーソナルデジタルアシスタント（ＰＤＡ）、タブレット、携帯端末、スマートフォン、ラップトップ内蔵機器（ＬＥＥ）、ラップトップ搭載機器（ＬＭＥ）、ユニバーサルシリアルバス（ＵＳＢ）ドングル、マシンタイプＵＥ、マシンツーマシン（Ｍ２Ｍ）通信が可能なＵＥ等であり得る。通信送受信器８１０は、プロセッサ８１２、記憶装置８１３、インタフェース８１１およびアンテナセット８１１ａを含む。アクセスネットワークノード８００と同様に、通信送受信器８１０の構成要素は、単一のより大きな箱内に配置された単一の箱として示されているが、実際には、無線デバイスは、単一の図示された構成要素を構成する複数の異なる物理的な構成要素を含み得る（例えば、記憶装置８１３は、それぞれが全記憶容量の一部を表すマイクロチップを複数有し得る）。
【００７０】
プロセッサ８１２は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、またはハードウェア、単独で、または記憶装置８１３等の他の通信送受信器８１０の構成要素と連携して、通信送受信器８１０の機能性を提供するように動作可能なソフトウェアおよび／または符号化ロジックの組み合わせ、のうちの１つ以上の組み合わせであり得る。そのような機能性は、本明細書で開示された任意の特徴または利点を含む、本明細書で論じられた様々な無線機能を提供することを含み得る。
【００７１】
記憶装置８１３は、永続的記憶装置、ソリッドステートメモリ、リモートマウントメモリ、磁気媒体、光媒体、ＲＡＭ、ＲＯＭ、リムーバブルメディア、または任意の他の適切なローカルもしくはリモートメモリコンポーネントを含むがこれらに限定されない、任意の形態の揮発性または不揮発性コンピュータ可読メモリを含み得る。記憶装置８１３は、通信送受信器８１０によって利用されるソフトウェアおよび符号化ロジックを含む、任意の適切なデータ、命令、または情報を記憶し得る。記憶装置８１３は、プロセッサ８１２によって行われた任意の計算および／またはインタフェース８１１を介して受信された任意のデータを格納するために使用され得る。
【００７２】
インタフェース８１１は、通信送受信器８１０とアクセスネットワークノード８００との間のシグナリングおよび／またはデータの無線通信において使用され得る。例えば、インタフェース８１１は、アクセスネットワークノード８００が無線接続を介してネットワーク８００とデータを送受信することを可能にするために必要とされ得る任意のフォーマット、符号化、または変換を実行し得る。インタフェース８１１はまた、アンテナセット８０１ａに結合され得るかまたはその一部であり得る無線送信器および／または受信器を含み得る。無線器は、無線接続を介してアクセスネットワークノード８０１に送信されるべきデジタルデータを受信し得る。無線器は、デジタルデータを適切なチャネルおよび帯域幅パラメータを有する無線信号に変換し得る。無線信号は次に、アンテナ８１１ａを介してアクセスネットワークノード２００に送信され得る。
【００７３】
アンテナ８０１ａは、データおよび／または信号を無線で送受信することができる任意の種類のアンテナであり得る。いくつかの実施形態において、アンテナセット８０１ａは、例えば２ＧＨｚと６６ＧＨｚとの間で無線信号を送信／受信するように動作可能な１つ以上の全方向性のセクタまたはパネルアンテナを含み得る。簡単化のためにアンテナ８１１ａは、無線信号が使用されている範囲でインタフェース８１１の一部と見なされ得る。
【００７４】
いくつかの実施形態では、上記の構成要素は、Ｄ２Ｄ通信で使用される１つ以上の機能モジュールを実装するために使用され得る。機能モジュールは、ソフトウェア、コンピュータプログラム、サブルーチン、ライブラリ、ソースコード、または例えばプロセッサによって実行される任意の他の形態の実行可能命令を含み得る。大まかに言えば、各機能モジュールはハードウェアおよび／またはソフトウェアで実施することができる。好ましくは、１つまたは複数のまたはすべての機能モジュールは、おそらく記憶装置８１３および／または８０３と協働して、プロセッサ８１２および／または８０２によって実装され得る。したがって、プロセッサ８１２および／または８０２、ならびに記憶装置８１３および／または８０３は、プロセッサ８１２および／または８０２が記憶装置８１３および／または８０３から命令をフェッチし、それぞれの機能モジュールがここに開示された任意の特徴または機能を実行できるようにフェッチされた命令を実行することができる。モジュールはさらに、本明細書で明示的に説明されていないが当業者の知識の範囲内であろう他の機能またはステップを実行するように構成されてもよい。
【００７５】
本発明の概念のいくつかの態様は、いくつかの実施形態を参照して主に上述されている。しかしながら、当業者によって容易に理解されるように、上記に開示されたもの以外の実施形態も等しく可能であり、そして本発明の概念の範囲内である。同様に、多数の異なる組み合わせが論じられてきたが、全ての可能な組み合わせは開示されていない。当業者であれば、他の組み合わせが存在し、それらが本発明の概念の範囲内にあることを理解するであろう。更に、当業者には理解されるように、本明細書に開示された実施形態は他の規格および通信システムにもそのまま適用可能であり、他の特徴に関して開示された特定の図からの任意の特徴は任意の他の図に適用可能であり、異なる特徴と組み合わせられ得る。
【図１】
2019530297.tif 000003
【図２】
2019530297.tif 000004
【図３】
2019530297.tif 000005
【図４】
2019530297.tif 000006
【図５】
2019530297.tif 000007
【図６】
2019530297.tif 000008
【図７】
2019530297.tif 000009
【図８】
2019530297.tif 000010
【国際調査報告】
2019530297.tif 000011
2019530297.tif 000012
2019530297.tif 000013